(57)【要約】【課題】  摺動面の潤滑油が外部に漏れることが無く、且つ切り粉や切削液が潤滑油の油受けに浸入して潤滑油と混ざることのない摺動面保護装置を提供する。【解決手段】スライドカバー３を構成するカバー枠４は、重ね合わせた内側のカバー枠４の表面に当接するワイパー１０を下端に備えると共に、内側のカバー枠を越えて突出する庇状の背板を上部背面に備え、背板はカバー枠の上端から一段落とし込んだ部位に形成され、カバー枠の上部表面に重ね合わせた外側の前記カバー枠の裏面に当接するスライドシューを備え、最内部のカバー枠は、摺動面が形成されたコラムに固着されると共に、摺動面下方を閉塞する底板１４を有し、底板１４の上部は摺動面から流れ出た潤滑油を受ける油受け部が形成されている。【選択図】  図１
2014065083.tif 000002
【特許請求の範囲】
【請求項１】
移動体を鉛直方向に移動させるための摺動面を切り屑や切削液から保護するために、前記移動体の移動に合わせて伸縮するスライドカバーが前記移動体の下側摺動面を覆うよう設けられ、前記スライドカバーが複数のカバー枠を重ね合わせて連結されて成る摺動面保護装置であって、
前記カバー枠は、重ね合わせた内側のカバー枠表面に当接するワイパーを下端に備えると共に、上部背面に内側のカバー枠を越えて突出する庇状の背板を備え、
前記背板は、前記カバー枠の上端から一段落とし込んだ部位に、前記摺動面との間に一定の隙間が形成される奥行きで形成されて成ることを特徴とする摺動面保護装置。
【請求項２】
前記カバー枠は、左右端部を折り曲げて形成した側面部を有して前記摺動面が形成された基台の左右側部を覆うよう形成され、
複数の前記カバー枠がテレスコピック状に連結されると共に、前記カバー枠の表面上部に重ね合わせた外側の前記カバー枠に当接するスライドシューを設けたことを特徴とする請求項１記載の摺動面保護装置。
【請求項３】
最内部の前記カバー枠は、摺動面が形成された基台に連結される底板を下端に有し、
前記底板は、摺動面下方を閉塞して摺動面から流れ出た潤滑油を受ける油受け部でもあることを特徴とする請求項１又は２記載の摺動面保護装置。
【発明の詳細な説明】
【技術分野】
【０００１】
本発明は、工作機械の摺動面を切り粉等から保護する摺動面保護装置に関し、特に鉛直方向に形成された摺動面を保護する摺動面保護装置に関する。
【背景技術】
【０００２】
摺動面が鉛直方向に形成されている場合の摺動面保護装置は、例えば図４に示すように形成されている。図４では、摺動面保護装置に複数のカバー枠２１を伸縮するように重ね合わせて連結したスライドカバー２２が適用され、摺動面２３ａ上を移動する移動体２４の上下動に合わせて伸縮させることで、摺動面２３ａを常時切り屑等から保護するよう構成している。そして、摺動面２３ａから流れ出た潤滑油を回収する油受け２５がその下方に設けられている。
一方で、鉛直方向に形成された摺動面から流れ出た潤滑油を回収する潤滑油回収装置として、特許文献１に記載されたものがある。この特許文献１では、上述したスライドカバーを使用して摺動面を覆うことで、内側の潤滑油に外側の切削液等が混ざらないようにし、最下部のカバー枠に潤滑油を回収する容器を一体に形成した。
【先行技術文献】
【特許文献】
【０００３】
【特許文献１】実開平２−８２４５１号公報
【発明の概要】
【発明が解決しようとする課題】
【０００４】
しかし、上記図４に示す構成の場合、スライドカバー２２に飛散して付着した切削液は、スライドカバー２２を伝って油受け２５に流れ込み、潤滑油と混ざってしまう。図５はこの様子を模式的に示している。
また、上記特許文献１の構成の場合、潤滑油を回収する容器はスライドカバーの内側に配置されているため、図４の構成に比べて切削液が混入する問題を解決できる。しかしながら、カバー枠である筒体上部に水平配置された係合片が筒部の平坦な案内板に接触することで、案内板上に付着している潤滑油が係合片を介してスライドカバー表側に流れ出し易かった。
【０００５】
そこで、本発明はこのような問題点に鑑み、鉛直方向に配置された摺動面の潤滑油が外部に漏れることが無く、且つ切り粉や切削液が潤滑油の油受けに浸入して潤滑油と混ざることのない摺動面保護装置を提供することを目的としている。
【課題を解決するための手段】
【０００６】
上記課題を解決する為に、請求項１の発明は、移動体を鉛直方向に移動させるための摺動面を切り屑や切削液から保護するために、前記移動体の移動に合わせて伸縮するスライドカバーが前記移動体の下側摺動面を覆うよう設けられ、前記スライドカバーが複数のカバー枠を重ね合わせて連結されて成る摺動面保護装置であって、前記カバー枠は、重ね合わせた内側のカバー枠表面に当接するワイパーを下端に備えると共に、上部背面に内側のカバー枠を越えて突出する庇状の背板を備え、前記背板は、前記カバー枠の上端から一段落とし込んだ部位に、前記摺動面との間に一定の隙間が形成される奥行きで形成されて成ることを特徴とする。
この構成によれば、カバー枠の背板と摺動面の間には一定の隙間が形成されているため、摺動面にカバー枠が接触することが無い。そのため、移動体から摺動面に流れ出た潤滑油がカバー枠に移って表側に流れ出ることが無い。また、摺動面上の潤滑油がカバー枠方向へ飛散しても、背板に受け止められて摺動面下方へ落下する。よって、カバー枠の表側、即ちスライドカバーの表側に流れ出ることがない。
一方、スライドカバーの表面に付着した切削液は、スライドカバーの内側に入り込むことが無く、カバー枠の内側の潤滑油とが混ざり合うことがない。よって、切削液や切り屑の混入のない潤滑油の回収が可能となるし、切削液に潤滑油が混入するのも防止できる。
【０００７】
請求項２の発明は、請求項１に記載の構成において、前記カバー枠は、左右端部を折り曲げて形成した側面部を有して前記摺動面が形成された基台の左右側部を覆うよう形成され、複数の前記カバー枠がテレスコピック状に連結されると共に、前記カバー枠の表面上部に重ね合わせた外側の前記カバー枠に当接するスライドシューを設けたことを特徴とする。
この構成によれば、テレスコピック状に連結されたカバー枠間の隙間は、スライドシューにより一定に保持されるため、カバー枠に撓みが発生して背板が摺動面に接触するのを防止できる。よって、表側から切削液が浸入することがないし、摺動面上の潤滑油がカバー板に移るようなこともない。
【０００８】
請求項３の発明は、請求項１又は２に記載の構成において、最内部の前記カバー枠は、摺動面が形成された基台に連結される底板を下端に有し、前記底板は、摺動面下方を閉塞して摺動面から流れ出た潤滑油を受ける油受け部でもあることを特徴とする。
この構成によれば、潤滑油を回収する油受け部がカバー枠に一体形成されるため、スライドカバーの外側と遮断でき、潤滑油が外側に流れ出ることがないし、スライドカバーに付着した切削液が油受け部に入り込むこともない。
【発明の効果】
【０００９】
本発明によれば、カバー枠の背板と摺動面の間には一定の隙間が形成されているため、摺動面にカバー枠が接触することが無い。そのため、移動体から摺動面に流れ出た潤滑油がカバー枠に移って表側に流れ出ることが無い。また、摺動面上の潤滑油がカバー枠方向へ飛散しても、背板に受け止められて摺動面下方へ落下する。よって、カバー枠の表側、即ちスライドカバーの表側に流れ出ることがない。
一方、スライドカバーの表面に付着した切削液は、スライドカバーの内側に入り込むことが無く、カバー枠の内側の潤滑油とが混ざり合うことがない。よって、切削液や切り屑の混入のない潤滑油の回収が可能となるし、切削液に潤滑油が混入するのも防止できる。
【図面の簡単な説明】
【００１０】
【図１】本発明に係る摺動面保護装置の一例を示す縦断面説明図であり、潤滑油が流れる様子を合わせて示している。
【図２】図１の摺動面保護装置に切削液が付着する様子を示す縦断面説明図である。
【図３】図１のＡ−Ａ線断面図であり、摺動面保護装置の横断面を示している。
【図４】従来の摺動面保護装置の縦断面説明図であり、潤滑油が流れる様子を合わせて示している。
【図５】図４の摺動面保護装置に切削液が付着する様子を示す縦断面説明図である。
【発明を実施するための形態】
【００１１】
以下、本発明を具体化した実施の形態を、図面を参照して詳細に説明する。図１，図２は本発明に係る摺動面保護装置の一例を示す説明図であり、図１は潤滑油が流れる様子を合わせて示し、図２は切削液が付着する様子を合わせて示している。また、図３はＡ−Ａ線断面図であり、横断面を示している。
１は上下方向に移動する移動体としてのクロスレール、２はクロスレール１の移動を可能とするために鉛直方向の摺動面２ａを備えたコラム、３は摺動面２ａを切り屑等から保護するスライドカバーである。尚、図１，図２共にスライドカバー３を縮めた状態（クロスレール１を最下位置に移動した状態）を示している。  
【００１２】
スライドカバー３は、複数のカバー枠４を重ねて（図１では４枚のカバー枠４ａ，４ｂ，４ｃ，４ｄを重ねて）形成され、伸縮可能に連結されている。具体的に、図３の横断面図に示すように、カバー枠４は左右端部が後方にコ字状に折り曲げられて形成され、テレスコピック状に構成されている。そして、折り曲げた側板により摺動面２ａを形成したコラムの背部に至るまで覆うよう形成されている。また、内側のカバー枠４を順次下側に配置し、最下部のカバー枠４ａはコラム２に連結固定され、最上部のカバー枠４ｄはクロスレール１に連結されている。
尚、カバー枠４の重ね合わせ枚数は、摺動面２ａの広さや長さにより変更されるもので任意である。
【００１３】
最下部のカバー枠４ａを除くカバー枠４ｂ〜４ｄは、下端にワイパー１０を備え、最上部のカバー枠４ｄを除くカバー枠４ａ〜４ｃの上部には背板１１、及びスライドシュー１２が設けられている。ワイパー１０は左右に亘り延設され、重ね合わせられた内側のカバー枠４の表面を摺動するよう取り付けられている。。
【００１４】
背板１１は、カバー枠４の剛性を上げて撓みの発生を防ぐために設けられているが、カバー枠４の上端より１段落とし込んだ位置（例えば、カバー枠４の上端より１０ｍｍ下方）に庇状に形成され、背板１１上に溜まった潤滑油を先端から落下させてカバー枠４の表面側に流れ出るのを防止している。
【００１５】
個々のカバー枠４に形成された背板１１の奥行きは、摺動面２ａとの距離に合わせて変化させており、保護する摺動面２ａとの間に一定の隙間Ｈが発生するよう形成されている。隙間Ｈを一定にすることで、背板１１から流れ落ちる潤滑油が、特定の背板１１に溜まるのを防止している。そして、背板１１の後端下部には油切り板１３が設けられ、上面に溜まった潤滑油が背板１１の下面に回り込むのを防止し、落下し易いよう構成されている。
【００１６】
スライドシュー１２は、図３に示すように複数箇所に分割して配置され、前後のカバー枠４，４間の隙間が変化しないように一定に維持し、重ねられたカバー枠４の間でがたつきが発生することなく摺動するよう設けられている。このスライドシュー１２は鋼材で形成されたスライドカバー３より軟質な金属、例えば黄銅で形成されている。
尚、背板１１は後方に向かって僅かに下り傾斜すると良く、潤滑油が溜まるのを防止できる。また、隙間Ｈは潤滑油が摺動面を伝って流れ出るだけの空間が形成できれば良く、狭い間隔で形成されている。
【００１７】
また最下部のカバー枠４ａは、下端にコラム２に連結するための底板１４が形成されている。底板１４は、カバー枠４を折り曲げて連続形成され、コ字状に折り曲げてコラム２にボルト止めされると共に、潤滑油を収容するための油受け部１５を同時に形成している。
一方、最上部のカバー枠４ｄは、上端に背板はなくクロスレール１にネジ止め固定するための固定板１７が設けられている。固定板１７は、クロスレール１の下面に密着するよう形成され、ボルト止め固定される。
【００１８】
上記構成の摺動面保護装置の潤滑油及び切削液に対する作用は以下の様である。図１に示すように、摺動面２ａから流れ出た潤滑油の殆どは、摺動面２ａ、コラム２を伝って油受け部１５に流れ込む。また、スライドカバー３方向へ跳ねた潤滑油も、背板１１上に密着し、その後背板１１の先端から油受け部１５に垂れて流れ込む。
一方、スライドカバー３の表面に付着した切削液は、図２に示すようにワイパー１０により下方へ掃き出されて、やがてスライドカバー３の下方へ落下する。
【００１９】
このように、背板１１と摺動面２ａの間には一定の隙間Ｈが形成されているため、摺動面にカバー枠４が接触することが無い。そのため、クロスレール１から摺動面２ａに流れ出た潤滑油がカバー枠４に移って流れ出ることが無いし、摺動面２ａ上の潤滑油がカバー枠４方向へ飛散しても、背板１１に受け止められて摺動面下方へ落下する。よって、カバー枠４の表側に流れ出ることがない。
一方、カバー枠４の表面に付着した切削液は、スライドカバー３の内側に入り込むことが無く、カバー枠４の内側の潤滑油とが混ざり合うことがない。よって、切削液や切り屑の混入のない潤滑油の回収が可能となるし、切削液に潤滑油が混入するのも防止できる。
また、カバー枠４の上部に配置したスライドシュー１２により、撓み等で重なり合うカバー枠４同士が離れて隙間が発生するのを防止できるし、背板１１が摺動面２ａに接触するのを防止できる。よって、前方から切削液が浸入することがないし、摺動面２ａから流れ出た潤滑油が背板１１に移るようなこともない。
更に、潤滑油を回収する油受け部１５がカバー枠４に一体形成されるため、スライドカバー３の外側と遮断でき、潤滑油が外側に流れ出ることがないし、スライドカバー３に付着した切削液が油受け部１５に入り込むこともない。
【００２０】
尚、上記実施形態では、カバー枠４をコラム２の背部に至る側部を設けて形成したが、背部に至る奥行きを設けなくとも良く、左右端部を小さくコ字状に折り曲げてもテレスコピック状に連結することができ、良好に伸縮できるし摺動面を保護でき、更に潤滑油と切削液が混ざらないように構成できる。
また、スライドシュー１２を、カバー枠４の前面、左右側面、背面の４面に配置しているが、最下部のカバー板４ａ及び最上部のカバー板４ｄは固定されるため、少なくとも前面に配置するだけでも良く、背板１１が摺動面２ａに接触するのを防止できる。
【符号の説明】
【００２１】
１・・クロスレール（移動体）、２・・コラム（基台）、２ａ・・摺動面、３・・スライドカバー、４（４ａ〜４ｄ）・・カバー枠、１０・・ワイパー、１１・・背板、１２・・スライドシュー、１５・・油受け部。
【図１】
2014065083.tif 000003
【図２】
2014065083.tif 000004
【図３】
2014065083.tif 000005
【図４】
2014065083.tif 000006
【図５】
2014065083.tif 000007